(57)【要約】【課題】ディスプレイ装置の見た目を損なうことなく、より大きいカメラの画角を確保することができるディスプレイ装置を提供すること。【解決手段】本発明の一実施形態に係るユーザインタラクションを提供するディスプレイ装置は、映像表示面を有するディスプレイ本体と、ユーザのジェスチャ検知のためにユーザを撮影するカメラモジュールを含む撮影ユニットとして、非撮影時に前記ディスプレイ本体内に収容される第１位置に配置され、撮影時に前記ディスプレイ本体の外に突出される第２位置に配置される撮影ユニットと、を含み、カメラモジュールは、撮影ユニットが第１位置にある時より第２位置にある時、映像表示面により近く配置され、カメラモジュールは、撮影ユニットが第１位置にある時には、ディスプレイ本体の上方を向くように配置され、撮影ユニットが第２位置にある時には、ディスプレイ本体の前方を向くように配置されることを特徴とする。【選択図】図１
2014157352.tif 000002
【特許請求の範囲】
【請求項１】
ユーザインタラクションを提供するディスプレイ装置において、
映像表示面を有するディスプレイ本体と、
ユーザのジェスチャ検知のためにユーザを撮影するカメラモジュールを含む撮影ユニットとして、非撮影時に前記ディスプレイ本体内に収容される第１位置に配置され、撮影時に前記ディスプレイ本体の外に突出される第２位置に配置される撮影ユニットと、
を含み、
前記カメラモジュールは、
前記撮影ユニットが前記第１位置にある時より前記第２位置にある時、前記映像表示面により近く配置され、
前記カメラモジュールは、
前記撮影ユニットが前記第１位置にある時には、前記ディスプレイ本体の上方を向くように配置され、前記撮影ユニットが前記第２位置にある時には、前記ディスプレイ本体の前方を向くように配置されることを特徴とするディスプレイ装置。
【請求項２】
前記撮影ユニットは、
曲線軌跡に沿ったスライディングによって、前記第１位置から前記第２位置に、または、前記第２位置から前記第１位置に移動することを特徴とする請求項１に記載のディスプレイ装置。
【請求項３】
前記撮影ユニットは、
前記曲線軌跡に対応する形状を有し、相互一定の距離離隔された一対のスライドガイド溝を有するカメラケーシングを更に含み、
前記ディスプレイ本体は、
ディスプレイパネルを収容するメインケーシングと、
前記メインケーシングの背面に装着され、前記第１位置に配置された撮影ユニットを収容し、前記カメラケーシングのスライディングをガイドするように前記一対のスライドガイド溝に挿入される一対のガイド突起を有するサブケーシングと、
を含むことを特徴とする請求項２に記載のディスプレイ装置。
【請求項４】
前記第１位置に配置された前記撮影ユニットを前記サブケーシング内にロッキングさせるためのロッキングユニットを更に含むことを特徴とする請求項３に記載のディスプレイ装置。
【請求項５】
前記ロッキングユニットは、
前記撮影ユニットに連結されたラッチユニットと、
前記サブケーシングに備えられ、前記撮影ユニットが前記第１位置に配置される時、前記ラッチユニットと結合して前記撮影ユニットをロッキングさせるロッキング部材と、
を含むことを特徴とする請求項４に記載のディスプレイ装置。
【請求項６】
前記ラッチユニットは、
ラッチハウジングと、
前記ラッチハウジングの外に露出される露出位置と前記ラッチハウジング内に部分挿入される部分挿入位置との間で移動可能な一対のフック部材と、
を含み、
前記撮影ユニットが前記第２位置から前記第１位置に移動する時に、前記一対のフック部材は、前記露出位置から前記部分挿入位置に移動しつつ前記ロッキング部材をフッキング結合し、
前記撮影ユニットが前記第１位置から前記第２位置に移動する時に、前記一対のフック部材は前記部分挿入位置から前記露出位置に移動しつつ前記ロッキング部材と分離されることを特徴とする請求項５に記載のディスプレイ装置。
【請求項７】
前記ロッキング部材は、
前記サブケーシングから垂直伸長される胴体部と、
前記胴体部の先端に備えられ、前記一対のフック部材と結合する結合部と、
を含み、
前記一対のフック部材は、
前記露出位置から前記部分挿入位置に移動する時に、前記結合部とフッキングされるように弾性的に相互に狭まり、前記部分挿入位置から前記露出位置に移動する時に、前記結合部と分離されるように弾性的に相互離隔されることを特徴とする請求項６に記載のディスプレイ装置。
【請求項８】
前記カメラケーシングは、
前記カメラモジュールが装着され、前記一対のスライドガイド溝が形成されたベースケーシングと、
前記ベースケーシングをカバーするカバーケーシングと、
を含むことを特徴とする請求項３に記載のディスプレイ装置。
【請求項９】
前記ベースケーシングは、
アルミニウム材質で形成されることを特徴とする請求項８に記載のディスプレイ装置。
【請求項１０】
前記ラッチユニットが装着され、前記撮影ユニットと結合されるスライダを更に含み、
前記スライダは、
前記撮影ユニットが前記第２位置から前記第１位置に移動する時に、下方にスライディングされて前記ロッキング部材を前記フック部材とフッキング結合させ、前記フック部材と前記ロッキング部材とが分離されると、上方にスライディングされて前記撮影ユニットを前記第１位置から前記第２位置に移動させることを特徴とする請求項６に記載のディスプレイ装置。
【請求項１１】
前記スライダの両側に備えられ、前記スライダのスライディングをガイドするための一対のガイドレールを更に含むことを特徴とする請求項１０に記載のディスプレイ装置。
【請求項１２】
前記フック部材と前記ロッキング部材とが分離される時、前記スライダを上方に加圧する弾性部材を更に含むことを特徴とする請求項１１に記載のディスプレイ装置。
【請求項１３】
前記スライダに装着され、前記スライダのスライディング速度を調節するためのダンピング部材を更に含むことを特徴とする請求項１１に記載のディスプレイ装置。
【請求項１４】
前記撮影ユニットは、前記カメラモジュールのティルトを調節するためのティルトレバーを更に含むことを特徴とする請求項１に記載のディスプレイ装置。
【発明の詳細な説明】
【技術分野】
【０００１】
本発明は、ディスプレイ装置に関し、より詳細には、ユーザインタラクションを提供するディスプレイ装置に関する。
【背景技術】
【０００２】
最近のディスプレイ装置は、スマートインタラクティブ機能の拡大によって、ユーザインタラクションを提供する製品が続々登場している。ユーザインタラクションとは、ユーザの動作や音声等でディスプレイ装置を制御することをいう。このため、ディスプレイ装置には、ユーザの動作を検知する撮影ユニットやユーザの音声を検知する音声検知ユニット等が必須として装着される。
【０００３】
撮影ユニットや音声検知ユニットは、従来ディスプレイ装置の上端に固定されて装着されていた。しかし、このようなディスプレイ装置は、上端部が撮影ユニットや音声検知ユニットによって常に突出されているため、ディスプレイ装置の見た目を損なうという問題があった。また、ディスプレイ装置は、露出される撮影ユニットや音声検知ユニットによってユーザにユーザの日常を監視する感じを与えてしまう惧れがあるため、ユーザに不快感をもたらすという問題があった。
【０００４】
それを解消するために、撮影ユニット及び音声検知ユニットを使わない場合には、撮影ユニット及び音声検知ユニットをユーザの目につかないようにディスプレイ装置の背面上部で上下にスライディングできるように装着されるという例がある。撮影ユニットを例に挙げて説明すると、撮影ユニットの撮影時には撮影ユニットがディスプレイ装置の背面上部で上方に突出し、撮影ユニットの非撮影時には突出した撮影ユニットが下方にスライディングされてディスプレイ装置から見えなくなる。このような撮影ユニット及び音声検知ユニットは、ディスプレイ装置の前面からディスプレイ装置の側面の厚さ分だけ後に位置する。よって、より大きいカメラの画角を確保するためには、必然的に撮影ユニットが更に上方に突出されることが求められ、ディスプレイ装置の見た目を損なうという問題があった。
【先行技術文献】
【特許文献】
【０００５】
【特許文献１】韓国特許出願公開第２０００−００２０５１１号明細書
【特許文献２】韓国特許出願公開第１９９７−００２５０６７号明細書
【特許文献３】特開２００５−０３０４０５１号公報
【特許文献４】韓国特許出願公開第２００５−００５６６９３号明細書
【発明の概要】
【発明が解決しようとする課題】
【０００６】
そこで、本発明は、上記問題に鑑みてなされたものであり、本発明の目的とするところは、ディスプレイ装置の見た目を損なうことなく、より大きいカメラの画角を確保することができるディスプレイ装置を提供することにある。
【課題を解決するための手段】
【０００７】
前記目的を達成するために、本発明は、ユーザインタラクションを提供するディスプレイ装置であって、映像表示面を有するディスプレイ本体と、ユーザのジェスチャ検知のためにユーザを撮影するカメラモジュールを含む撮影ユニットとして、非撮影時に前記ディスプレイ本体内に収容される第１位置に配置され、撮影時に前記ディスプレイ本体の外に突出される第２位置に配置される撮影ユニットと、を含み、前記カメラモジュールは、前記撮影ユニットが前記第１位置にある時より前記第２位置にある時、前記映像表示面により近く配置され、前記カメラモジュールは、前記撮影ユニットが前記第１位置にある時には、前記ディスプレイ本体の上方を向くように配置され、前記撮影ユニットが前記第２位置にある時には、前記ディスプレイ本体の前方を向くように配置されることを特徴とするディスプレイ装置を提供する。
【０００８】
前記撮影ユニットは、曲線軌跡に沿ったスライディングによって、前記第１位置から前記第２位置に、または、前記第２位置から前記第１位置に移動してよい。
【０００９】
前記撮影ユニットは、前記曲線軌跡に対応する形状を有し、相互一定の距離離隔された一対のスライドガイド溝を有するカメラケーシングを更に含み、前記ディスプレイ本体は、ディスプレイパネルを収容するメインケーシングと、前記メインケーシングの背面に装着され、前記第１位置に配置された撮影ユニットを収容し、前記カメラケーシングのスライディングをガイドするように前記一対のスライドガイド溝に挿入される一対のガイド突起を有するサブケーシングと、を含んでよい。
【００１０】
前記ディスプレイ装置は、前記第１位置に配置された前記撮影ユニットを前記サブケーシング内にロッキングさせるためのロッキングユニットを更に含んでよい。
【００１１】
前記ロッキングユニットは、前記撮影ユニットに連結されたラッチユニットと、前記サブケーシングに備えられ、前記撮影ユニットが前記第１位置に配置される時、前記ラッチユニットと結合して前記撮影ユニットをロッキングさせるロッキング部材と、を含んでよい。
【００１２】
前記ラッチユニットは、ラッチハウジングと、前記ラッチハウジングの外に露出される露出位置と前記ラッチハウジング内に部分挿入される部分挿入位置との間で移動可能な一対のフック部材と、を含み、前記撮影ユニットが前記第２位置から前記第１位置に移動する時に、前記一対のフック部材は、前記露出位置から前記部分挿入位置に移動しつつ前記ロッキング部材をフッキング結合し、前記撮影ユニットが前記第１位置から前記第２位置に移動する時に、前記一対のフック部材は前記部分挿入位置から前記露出位置に移動しつつ前記ロッキング部材と分離されてよい。
【００１３】
前記ロッキング部材は、前記サブケーシングから垂直伸長される胴体部と、前記胴体部の先端に備えられ、前記一対のフック部材と結合する結合部と、を含み、前記一対のフック部材は、前記露出位置から前記部分挿入位置に移動する時に、前記結合部とフッキングされるように弾性的に相互に狭まり、前記部分挿入位置から前記露出位置に移動する時に、前記結合部と分離されるように弾性的に相互離隔されてよい。
【００１４】
前記カメラケーシングは、前記カメラモジュールが装着され、前記一対のスライドガイド溝が形成されたベースケーシングと、前記ベースケーシングをカバーするカバーケーシングと、を含んでよい。
【００１５】
前記ベースケーシングは、アルミニウム材質で形成されてよい。
【００１６】
前記ディスプレイ装置は、前記ラッチユニットが装着され、前記撮影ユニットと結合されるスライダを更に含み、前記スライダは、前記撮影ユニットが前記第２位置から前記第１位置に移動する時に、下方にスライディングされて前記ロッキング部材を前記フック部材とフッキング結合させ、前記フック部材と前記ロッキング部材とが分離されると、上方にスライディングされて前記撮影ユニットを前記第１位置から前記第２位置に移動させてよい。
【００１７】
前記ディスプレイ装置は、前記スライダの両側に備えられ、前記スライダのスライディングをガイドするための一対のガイドレールを更に含んでよい。
【００１８】
前記ディスプレイ装置は、前記フック部材と前記ロッキング部材とが分離される時、前記スライダを上方に加圧する弾性部材を更に含んでよい。
【００１９】
前記弾性部材は、トーションバースプリングであってよい。
【００２０】
前記ディスプレイ装置は、前記スライダに装着され、前記スライダのスライディング速度を調節するためのダンピング部材を更に含んでよい。
【００２１】
前記ダンピング部材は、回転ダンパで備えられ、前記ガイドレールに備えられたダンパレールにかみ合って回転してよい。
【００２２】
前記撮影ユニットは、前記カメラモジュールのティルトを調節するためのティルトレバーを更に含んでよい。
【００２３】
前記ディスプレイ装置は、前記ディスプレイ本体内部に装着され、前記ユーザの音声を検知するための少なくとも１つの音声検知ユニットを更に含んでよい。
【００２４】
前記少なくとも１つの音声検知ユニットは、前記ディスプレイ本体の上面に隣接して装着され、前記撮影ユニットの両側に１つずつ設けられてよい。
【００２５】
前記ディスプレイ装置は、テレビであってよい。
【発明の効果】
【００２６】
以上説明したように、本発明によれば、ユーザインタラクションを提供するディスプレイ装置でディスプレイ装置の見た目を損なうことなく、より大きいカメラの画角を確保するディスプレイ装置を提供できるようになる。
【図面の簡単な説明】
【００２７】
【図１】本発明の一実施形態に係るディスプレイ装置を示す斜視図である。
【図２】本発明の一実施形態に係るディスプレイ装置を示す斜視図である。
【図３】撮影ユニットが第１位置に配置された時に図１のディスプレイ装置に備えられる様子を示す断面図である。
【図４】撮影ユニットが第２位置に配置された時に図２のディスプレイ装置に備えられる様子を示す断面図である。
【図５】図１のディスプレイ装置のサブケーシングを示す斜視図である。
【図６】図５のサブケーシングを示す分解斜視図である。
【図７】図５のサブケーシングの内部を示す図である。
【図８】図５のサブケーシングに備えられる撮影ユニットを示す分解断面図である。
【図９】図５のサブケーシング及び撮影ユニットのベースケーシングの結合関係を示す分解斜視図である。
【図１０】図５のサブケーシング内に備えられる撮影ユニット及びスライダの結合関係を示す分解斜視図である。
【図１１】撮影ユニットが第２位置から第１位置にスライディングする時の撮影ユニットのスライディング動作について説明するための図である。
【図１２】撮影ユニットが第２位置から第１位置にスライディングする時の撮影ユニットの移動軌跡について説明するための図である。
【図１３】撮影ユニットのロッキングについて説明するための図である。
【図１４】撮影ユニットが第１位置から第２位置にスライディングする時の撮影ユニットのスライディング動作について説明するための図である。
【図１５】撮影ユニットのロッキング解除について説明するための図である。
【図１６】撮影ユニットが第１位置から第２位置にスライディングする時の撮影ユニットの移動軌跡について説明するための図である。
【発明を実施するための形態】
【００２８】
以下、添付の図を参照して本発明に係る実施形態について詳細に説明する。以下で説明される実施形態は、発明の理解を促すために例示的に示すものであり、本発明は、ここで説明される実施形態と異なるように多様に変形されて実施可能であることを理解すべきである。なお、添付の図は、発明の理解を促すために、実際の寸法で示されたものではなく、一部の構成要素のみを拡大して示すことがある。
【００２９】
図１及び図２は、本発明の一実施形態に係るディスプレイ装置を示す斜視図であり、図３は、撮影ユニットが第１位置に配置された時に図１のディスプレイ装置に備えられる様子を示す断面図であり、図４は、撮影ユニットが第２位置に配置された時に図２のディスプレイ装置に備えられる様子を示す断面図であり、図５は、図１のディスプレイ装置のサブケーシングを示す斜視図であり、図６は、図５のサブケーシングを示す分解斜視図である。
【００３０】
図１及び図２を参照すると、ディスプレイ装置１００はユーザインタラクションを通じて多様なユーザのジェスチャや音声等を検知し、それによる多様な制御動作を行うことができる。制御動作は、例えば、チャネルの変更、音量アップやダウン、アプリケーションの実行等であってよい。
【００３１】
ディスプレイ装置１００は、平板ディスプレイとして、ＬＣＤテレビ、ＬＥＤテレビやＯＬＥＤテレビであってよい。その他にも、ディスプレイ装置１００は、別の方式の平板ディスプレイであってよく、平板ディスプレイではない曲面ディスプレイまたはフレキシブルディスプレイであってよい。なお、ディスプレイ装置は、テレビではないコンピュータモニタであってよい。
【００３２】
このようなディスプレイ装置１００は、ディスプレイ本体１２０及び撮影ユニット５００を含む。
【００３３】
ディスプレイ本体１２０は、メインケーシング２００、ディスプレイパネル（図示せず）、制御ボード（図示せず）、パワーボード（図示せず）及びサブケーシング３００を含む。
【００３４】
メインケーシング２００は、ディスプレイパネル（図示せず）、制御ボード（図示せず）及びパワーボード（図示せず）等、ディスプレイ装置１００の各種部品を収容する。
【００３５】
ディスプレイパネルは、映像を表示する部品として、映像が表示される映像表示面２２０を有する。ユーザは、映像表示面２２０を介してディスプレイ装置１００が提供する多様なコンテンツを視聴することができる。
【００３６】
制御ボードは、ディスプレイ装置１００の動作を制御するためのものとして、ユーザインタラクションによるコマンドに応じて、ディスプレイ装置１００の動作を制御することもできる。パワーボードは、ディスプレイ装置１００に電圧を供給するためのものである。
【００３７】
サブケーシング３００は、上述のメインケーシング２００の背面上部に装着され、撮影ユニット５００を収容する。本実施形態においては、サブケーシング３００がメインケーシング２００の背面に別途に装着されるが、サブケーシング３００がメインケーシング２００と一体として形成されることも可能である。
【００３８】
図５及び図６を参照すると、サブケーシング３００は前面ケーシング３２０及び背面ケーシング３４０を含む。
【００３９】
前面ケーシング３２０は、ディスプレイ装置１００のメインケーシング２００の背面上部に結合される。前面ケーシング３２０は、上面３２１に撮影ユニット５００が通過する開口３２２を有する。このような開口３２２を通じて撮影ユニット５００は、サブケーシング３００の外に突出されたり、サブケーシング３００内に収容される。
【００４０】
背面ケーシング３４０は、前面ケーシング３２０と結合され、サブケーシング３００の背面を形成する。前面ケーシング３２０と背面ケーシング３４０との間の空間に撮影ユニット５００や、音声検知ユニット４００等、ディスプレイ装置１００のユーザインタラクションのための各種部品が収容される。
【００４１】
撮影ユニット５００は、ユーザのジェスチャ検知のためのものとして、スライディングできるようにサブケーシング３００に装着される。非撮影時に、撮影ユニット５００はサブケーシング３００の内部に収容され、メインケーシング２００の上面２０２の高さを超えないように配置される。撮影ユニット５００は、サブケーシング３００の内部に収容される時に保護ウィンドウ５０２がメインケーシング２００の上面２０２と同一の高さに配置される。
【００４２】
図３ないし図６を参照すると、撮影ユニット５００は、カメラケーシング５１０、カメラモジュール６００及びティルトレバー５８０を含む。
【００４３】
カメラケーシング５１０は、ベースケーシング５２０及びカバーケーシング５６０を含む。
【００４４】
ベースケーシング５２０は、内部にカメラモジュール６００及びティルトレバー５８０が装着され、前面に保護ウィンドウ５０２が装着される。ベースケーシング５２０はカメラモジュール６００で発生する熱を放熱するために、アルミニウム材質からなってよい。
【００４５】
カバーケーシング５６０は、ベースケーシング５２０と結合され、撮影ユニット５００の外観を形成する。図６に示すように、カバーケーシング５６０には保護ウィンドウ５０２が嵌められる前面開口５６２及びティルトレバー５８０を露出させるティルトレバー開口５６４が形成される。一方、カバーケーシング５６０はベースケーシング５２０と違ってプラスチック材質からなってよい。
【００４６】
カメラモジュール６００は、撮影ユニット５００内に備えられ、ユーザのジェスチャを検知するための構成要素である。撮影ユニット５００は、このようなカメラモジュール６００を内蔵することで、ユーザのジェスチャを検知することができる。カメラモジュール６００は、映像の光を集める少なくとも１つのレンズ（図示せず）、映像を電気的信号に変換するイメージセンサ（図示せず）及びレンズを動かしてフォーカスを調節するアクチュエータ（図示せず）等を含む。
【００４７】
図１及び図３に示すように、非撮影時に撮影ユニット５００はサブケーシング３００の内部に収容される第１位置に配置される。撮影ユニット５００は、映像表示面２２０からメインケーシング２００の厚さ（ｄ）分だけ離隔して配置される。すなわち、このとき、撮影ユニット５００と映像表示面２２０との間の距離（ｄ）は、メインケーシング２００の厚さ（ｄ）と実質的に同一である。このとき、カメラモジュール６００は、上方（＋Ｚ方向）を向くように配置される。それを通じて、非撮影時に撮影ユニット５００は、ディスプレイ装置１００の前面から眺めた時に見えないように保管することができる。よって、撮影ユニット５００によって感じることがあるユーザの不都合を解消することができる。なお、非撮影時にディスプレイ装置１００の見た目を綺麗にすることができ、製品の高品格のイメージを図ることができる。
【００４８】
図２及び図４に示すように、ユーザによる撮影時、撮影ユニット５００はサブケーシング３００の外に突出される第２位置に配置される。撮影ユニット５００は、ディスプレイ装置１００の前方（＋Ｘ方向）に突出され、メインケーシング２００の上面２０２上に配置される。このとき、撮影ユニット５００は、映像表示面２２０まで所定距離（ｄ’）離隔して配置され、撮影ユニット５００の保護ウィンドウ５０２は、映像表示面２２０よりやや後に配置される。すなわち、撮影ユニット５００と映像表示面２２０との間の距離（ｄ’）は、メインケーシング２００の厚さ（ｄ）より短い。上述の第１位置（撮影ユニット５００がサブケーシング３００の内部に収容される位置）と比較すると、撮影ユニット５００は第１位置にある時より第２位置にある時に、映像表示面２２０により近く配置される。よって、撮影時に撮影ユニット５００はより大きいカメラ画角の確保のために、ディスプレイ装置１００の上方（＋Ｚ方向）に更に突出する必要がない。よって、ディスプレイ装置１００は、ディスプレイ装置１００の見た目を損なうことなく、より大きいカメラ画角を確保することができる。
【００４９】
ティルトレバー５８０は、カメラのティルト調節のための構成要素である。ティルトとは、カメラの位置は固定されてアングルのみを上方から下方に、または、下方から上方に撮影することをいう。ティルトレバー５８０の操作に応じて、カメラモジュール６００は撮影ユニット５００内でＹ軸方向を中心に上下に回転される。ティルトレバー５８０は、カバーケーシング５６０のティルトレバー開口５６４を通じて外部に露出される。ユーザは、ティルトレバー５８０の操作を通じてカメラのティルトを自由自在に調節することができる。
【００５０】
図７は、図５のサブケーシングの内部を示す図である。
【００５１】
図６及び図７を参照すると、ディスプレイ装置１００は、音声検知ユニット４００及びＰＣＢ基板７００を更に含む。
【００５２】
音声検知ユニット４００は、サブケーシング３００内に収容できるように装着され、サブケーシング３００の外部に露出されない。本実施形態に係るディスプレイ装置１００の音声検知ユニット４００が撮影ユニット５００と一体型で具備されずに、別途に具備されるため、撮影ユニット５００に音声検知ユニット４００のための更なる空間を設ける必要がない。そのため、本実施形態に係るディスプレイ装置１００は外部に露出される撮影ユニット５００の体積を小さくすることができる。
【００５３】
音声検知ユニット４００は、マイク４２０及びマイクホール４５０を含む。
【００５４】
マイク４２０は、ユーザの音声を検知するための構成要素である。マイク４２０は、１つ以上備えられてよく、本実施形態の場合、２つのマイク４２０が備えられる。２つのマイク４２０は、撮影ユニット５００の両側に１つずつ設けられ、前面ケーシング３２０の上面３２１と隣接して配置される。
【００５５】
マイクホール４５０は、ユーザの音声がマイク４２０に伝達されることをガイドする。本実施形態の場合、４つのマイクホール４５０が備えられ、マイク４２０の上側に２つのマイクホール４５０が備えられ、他の２つのマイクホール４５０はマイク４２０の背面と対向するように背面ケーシング３４０に備えられる。
【００５６】
ＰＣＢ基板７００は、撮影ユニット５００によって検知されたユーザのジェスチャ情報及び音声検知ユニット４００の検知したユーザの音声情報に基づいてユーザインタラクションを判断する。ＰＣＢ基板７００は、ディスプレイ装置１００の制御ボード（図示せず）にユーザインタラクションに関する情報を送受信し、ディスプレイ装置１００の制御ボード（図示せず）は、ユーザインタラクションに関する情報に基づいてディスプレイ装置１００を制御する。
【００５７】
一方、ＰＣＢ基板７００は、撮影ユニット５００によって検知されたユーザのジェスチャ情報及び音声検知ユニット４００が検知したユーザの音声情報に基づいてユーザインタラクションを判断せずに、撮影ユニット５００によって検知されたユーザのジェスチャ情報及び音声検知ユニット４００が検知したユーザの音声情報を直ちにディスプレイ装置の制御ボードに送信することもできる。この場合、ディスプレイ装置１００の制御ボードは、受信した撮影ユニット５００によって検知されたユーザのジェスチャ情報及び音声検知ユニット４００が検知したユーザの音声情報に基づいてユーザインタラクションを判断した後、それに応じてディスプレイ装置を制御することもできる。
【００５８】
図６及び図７を参照すると、撮影ユニット５００が第１位置（撮影ユニット５００がサブケーシング３００の内部に収容される位置）と、第２位置（撮影ユニット５００がサブケーシング３００の外に突出される位置）と、の間で移動できるように、ディスプレイ装置１００はロッキングユニット９００、スライダ１０００、ガイドレール１２００、弾性部材１４００及びダンピング部材１６００を更に含む。
【００５９】
ロッキングユニット９００は、第１位置に配置された撮影ユニット５００をサブケーシング３００内にロッキングさせるための構成要素である。ロッキングユニット９００は、撮影ユニット５００が第２位置に配置される時にはロッキングが解除される。
【００６０】
このようなロッキングユニット９００は、ラッチユニット９２０及びロッキング部材９６０を含む。
【００６１】
ラッチユニット９２０はスライダ１０００に装着され、スライダ１０００は撮影ユニット５００に結合される。よって、ラッチユニット９２０は、スライダ１０００を介して撮影ユニット５００に連結される。ラッチユニット９２０は、ロッキング部材９６０と結合されてロッキング部材９６０と分離されることで、撮影ユニット５００のロッキング及びアンロッキングを行う。
【００６２】
このようなラッチユニット９２０は、ラッチハウジング９３０及びフック部材９４０を含む。
【００６３】
ラッチハウジング９３０はスライダ１０００に装着される。ラッチハウジング９３０にはロッキング解除時にフック部材９４０をラッチハウジング９３０の外に追い出すスプリング（図示せず）が内蔵されている。フック部材９４０は一対備えられ、ラッチハウジング９３０の外に露出される露出位置とラッチハウジング９３０内に部分挿入される部分挿入位置との間で移動できるようにラッチハウジング９３０に装着される。
【００６４】
ロッキング部材９６０は、サブケーシング３００の背面ケーシング３４０に備えられる。ロッキング部材９６０は、背面ケーシング３４０の内側下面から上方（＋Ｚ方向）に突出形成される。ロッキング部材９６０は、背面ケーシング３４０に一体として形成される。それに限定されるものではなく、ロッキング部材は別途の部材で備えられ、背面ケーシングに装着されることも可能である。
【００６５】
このようなロッキング部材９６０は、胴体部９６２及び結合部９６６を含む。
【００６６】
胴体部９６２は、背面ケーシング３４０から垂直方向（＋Ｚ方向）に伸長形成される。結合部９６６は、胴体部９６２の先端に備えられ、ラッチユニット９２０のフック部材９４０と着脱できるように結合される。
【００６７】
ロッキング部材９６０は、撮影ユニット５００が第１位置（撮影ユニット５００がサブケーシング３００の内部に収容される位置）に配置される時には、ラッチユニット９２０のフック部材９４０と結合され、撮影ユニット５００が第２位置（撮影ユニット５００がサブケーシング３００の外に突出する位置）に配置される時にはラッチユニット９２０のフック部材９４０との結合が解除される。
【００６８】
スライダ１０００は、撮影ユニット５００と結合され、サブケーシング３００内で上下方向（Ｚ方向）にスライディングできるように装着される。ガイドレール１２００は、スライダ１００の上下方向（Ｚ方向）のスライディングをガイドするためのものとして、スライダ１０００の両側に１つずつ備えられる。それぞれのガイドレール１２００には、スライダ１０００の側端部が挿入されるガイドスリット１２２０が形成される。
【００６９】
弾性部材１４００は、撮影ユニット５００のロッキングが解除される時、スライダ１０００が上方（＋Ｚ方向）に移動できる駆動力を提供するための構成要素である。弾性部材１４００の一端はスライダ１０００に固定されて弾性部材１４００の他端はガイドレール１２００に固定される。弾性部材１４００は、スプリングで備えられてよく、本実施形態ではトーションバースプリング（ｔｏｒｓｉｏｎ  ｂａｒ  ｓｐｒｉｎｇ）で備えられる。
【００７０】
ダンピング部材１６００は、スライダ１０００のスライディング速度を調節するためのものである。ダンピング部材１６００は回転ダンパーで備えられ、ガイドレール１２００に備えられたダンパーレール１２６０にかみ合うように装着される。ダンピング部材１６００は、スライダ１０００のスライディング時にガイドレール１２００のレール１２６０に沿って回転されることにより、スライダ１０００のスライディング速度を調節するようになる。ダンピング部材１６００は、スライダ１０００に１つが装着される。それにより、ガイドレール１２００のダンパーレール１２６０も、ダンピング部材１６００と隣接するガイドレール１２００にのみ備えられる。
【００７１】
以下、図８ないし図１０を参照して、撮影ユニット５００の移動をガイドする構成についてより詳細に説明する。
【００７２】
図８は、図５のサブケーシングに備えられる撮影ユニットを示す分解断面図であり、図９は、図５のサブケーシング及び撮影ユニットのベースケーシングの結合関係を示す分解斜視図であり、図１０は、図５のサブケーシング内に備えられる撮影ユニット及びスライダの結合関係を示す分解斜視図である。
【００７３】
図８を参照すると、撮影ユニット５００のベースケーシング５２０には両側面にそれぞれスライドガイド溝５４０が形成される。それぞれのスライドガイド溝５４０は、下方（−Ｚ方向）に次第に曲がる曲線形状を有する。
【００７４】
図９を参照すると、前面ケーシング３２０の開口３２２の下部にはベースケーシング５２０の一対のスライドガイド溝５４０に挿入される一対のガイド突起３２６が形成される。一対のガイド突起３２６は対向して配置される。一対のガイド突起３２６は、一対のスライドガイド溝５４０に挿入され、撮影ユニット５００の移動時にベースケーシング５２０のスライディングをガイドする。
【００７５】
図１０を参照すると、カバーケーシング５６０には両側端部にそれぞれ移動突起５６８が形成される。スライダ１０００には一対の移動突起５６８が挿入される一対のカバーガイド溝１０２０が形成される。一対のカバーガイド溝１０２０は撮影ユニット５００の移動時にカバーケーシング５６０のスライディングをガイドする。
【００７６】
以下では、撮影ユニット５００が第１位置（撮影ユニット５００がサブケーシング３００の内部に収容される位置）と第２位置（撮影ユニット５００がサブケーシング３００の外に突出される位置）との間でスライディングする時の動作について具体的に説明する。
【００７７】
まず、撮影ユニット５００が第２位置から第１位置にスライディングする時の動作について説明する。
【００７８】
図１１は、撮影ユニットが第２位置から第１位置にスライディングする時の撮影ユニットのスライディング動作について説明するための図であり、図１２は、撮影ユニットが第２位置から第１位置にスライディングする時の撮影ユニットの移動軌跡について説明するための図であり、図１３は、撮影ユニットのロッキングについて説明するための図である。
【００７９】
図１１を参照すると、非撮影時にユーザは撮影ユニット５００をサブケーシング３００の内部に収容することができる。それを通じて、ディスプレイ装置１００は、非撮影時に撮影ユニット５００をディスプレイ装置１００の前面から見えないように保管することができる。
【００８０】
図１１の部分Ａに示すように、ユーザは非撮影時に撮影ユニット５００の前面を加圧する。撮影ユニット５００は、ユーザの前面加圧に応じて下方に沿ってスライディングされる。
【００８１】
図１２を参照すると、撮影ユニット５００はユーザが前面を加圧すると、曲線軌跡（Ｃ）に沿ったスライディングによって、第２位置から第１位置に移動してサブケーシング３００の内部に収容される。ここで、曲線軌跡（Ｃ）は、撮影ユニット５００のスライドガイド溝５４０の形状に対応する。すなわち、撮影ユニット５００は、スライドガイド溝５４０の形状に対応する曲線軌跡（Ｃ）を描きつつ第２位置から第１位置に移動する。
【００８２】
このとき、撮影ユニット５００の任意のポイントは、第２位置に配置された状態における位置（Ｐ１）から、第１位置に配置された状態における位置（Ｐ２）までスライドガイド溝５４０の形状に対応する曲線軌跡（Ｃ）に沿って移動する。撮影ユニット５００の別のポイントもこのような方式で移動する。
【００８３】
その後、ユーザは、図１１の部分Ｂに示すように、撮影ユニット５００がサブケーシング３００の開口３２２のやや下に押圧されるまで、撮影ユニット５００を更に加圧する。それは、撮影ユニット５００のロッキングのためであり、それについては、以下で図１３を参照して説明する。
【００８４】
図１３を参照すると、撮影ユニット５００の移動時に、撮影ユニット５００と結合されるスライダ１０００は、サブケーシング３００内で下方（−Ｚ方向）にスライディングされる。このとき、ダンピング部材１６００は、ガイドレール１２００のダンパーレール１２６０にかみ合い回りつつ、スライダ１０００が急激に下方（−Ｚ方向）に移動されることを防止する。
【００８５】
ラッチユニット９２０は、スライダ１０００が移動する時、サブケーシング３００の下方（−Ｚ方向）に移動する。この時、ラッチユニット９２０とロッキング部材９６０とが結合することで、撮影ユニット５００は第１位置にロッキングされる。
【００８６】
ラッチユニット９２０とロッキング部材９６０との結合について見てみると、ラッチユニット９２０は上述のサブケーシング３００の下方（−Ｚ方向）への移動によって、一対のフック部材９４０がロッキング部材９６０の結合部９６６と相接する。その後、一対のフック部材９４０は、ラッチハウジング９３０の外に露出される露出位置からラッチハウジング９３０の内側に部分挿入される挿入位置に移動される。この時、ユーザが撮影ユニット５００への加圧を解除すると、ラッチユニット９２０の内部のスプリングによってスライダ１０００は再びサブケーシング３００の上方（＋Ｚ方向）に少し移動される。この時、ラッチユニット９２０の一対のフック部材９４０は、弾性的に互いに狭まりつつ、ロッキング部材９６０の結合部９６６とフッキング結合される。
【００８７】
ユーザの前面加圧の解除時、撮影ユニット５００はスライダ１０００のサブケーシング３００の上方（＋Ｚ方向）への移動によって、図１に示すように、サブケーシング３００の上面３２１の高さより更に高くなる。
【００８８】
一方、弾性部材１４００は、スライダ１０００の下方（−Ｚ方向）への移動時、下方（−Ｚ方向）に伸長し、スライダ１０００の上方（＋Ｚ方向）に戻ろうとする弾性加圧力が生じる。このような弾性加圧力は、撮影ユニット５００のロッキングが解除される時、スライダ１０００を上方（＋Ｚ方向）に移動できるようになる。
【００８９】
次に、撮影ユニット５００が、第１位置から第２位置にスライディングされる時の動作について説明する。
【００９０】
図１４は、撮影ユニットが第１位置から第２位置にスライディングする時の撮影ユニットのスライディング動作について説明するための図であり、図１５は、撮影ユニットのロッキング解除について説明するための図であり、図１６は、撮影ユニットが第１位置から第２位置にスライディングする時の撮影ユニットの移動軌跡について説明するための図である。
【００９１】
図１４を参照すると、ユーザは撮影ユニット５００の撮影時には、ディスプレイ装置１００の外に突出させることができる。それを通じて、ディスプレイ装置１００は、撮影ユニット５００を介してディスプレイ装置１００の前方に位置するユーザのジェスチャを検知することができる。
【００９２】
図１４の部分Ａに示すように、ユーザは撮影時に撮影ユニット５００がサブケーシング３００の開口３２２のやや下に押圧されるまで撮影ユニット５００の前面を加圧する。それは、撮影ユニット５００のロッキング解除のためであり、それについては、以下で図１５を参照して説明する。
【００９３】
図１５を参照すると、撮影ユニット５００がサブケーシング３００の開口３２２のやや下に押圧されると、スライダ１０００はサブケーシング３００の下方（−Ｚ方向）に少し移動される。このとき、ラッチユニット９２０の一対のフック部材９４０は内部スプリングによってラッチハウジング９３０の外に露出される露出位置に押し出される。一対のフック部材９４０は、ラッチハウジング９３０の外に露出されると、弾性的に相互離隔し、ロッキング部材９６０の結合部９６６と分離される。それを通じて、撮影ユニット５００は、サブケーシング３００内でロッキングが解除される。
【００９４】
撮影ユニット５００のロッキングが解除されると、弾性部材１４００はスライダ１０００がサブケーシング３００の上方（＋Ｚ方向）に移動できるようにサブケーシング３００の上方（＋Ｚ方向）に弾性加圧力を提供する。スライダ１０００は、弾性部材１４００が提供する弾性加圧力によってサブケーシング３００の上方（＋Ｚ方向）にスライディングされる。この時、ダンピング部材１６００は、ガイドレール１２００のレール１２６０にかみ合って回りつつ、スライダ１０００が急激に上方（＋Ｚ方向）に移動されることを防止する。スライダ１０００が、上方（＋Ｚ方向）にスライディングされる時、撮影ユニット５００も同時にスライディングされ、サブケーシング３００の外に突出される。このような撮影ユニット５００のスライディングについては、以下で図１６を参照して詳細に説明する。
【００９５】
図１６を参照すると、撮影ユニット５００は、曲線軌跡（Ｃ）に沿ったスライディングによって、第１位置から第２位置に移動してサブケーシング３００の外に突出される。ここで、曲線軌跡（Ｃ）は、上述の図１２を参照して説明したように、撮影ユニット５００のスライドガイド溝５４０の形状に対応する。すなわち、撮影ユニット５００は、スライドガイド溝５４０の形状に対応する曲線軌跡（Ｃ）を描きつつ第１位置から第２位置に移動する。
【００９６】
このとき、撮影ユニット５００の任意のポイントは、第１位置に配置された状態における位置（Ｐ２）から、第２位置に配置された状態における位置（Ｐ１）までスライドガイド溝５４０の形状に対応する曲線軌跡（Ｃ）に沿って移動する。撮影ユニット５００の別のポイントもこのような方式で移動する。
【００９７】
以上、添付図面を参照しながら本発明の好適な実施形態について詳細に説明したが、本発明は以上の実施形態に限定されない。本発明の属する技術の分野における通常の知識を有する者であれば、特許請求の範囲に記載された技術的趣旨の範疇内において、各種の変更例または修正例に想到し得ることは明らかであり、これらについても、当然に本発明の技術的範囲に属するものと了解される。
【符号の説明】
【００９８】
１００  ディスプレイ装置、１２０  ディスプレイ本体、２００  メインケーシング、３００  サブケーシング、３２６  ガイド突起、５００  撮影ユニット、５１０  カメラケーシング、５２０  ベースケーシング、５４０  スライドガイド溝、５６０  カバーケーシング、５８０  ティルトレバー、６００  カメラモジュール、９００  ロッキングユニット、９２０  ラッチユニット、９３０  ラッチハウジング、９４０  フック部材、９６０  ロッキング部材、９６２  胴体部、９６６  結合部、１０００  スライダ、１２００  ガイドレール、１４００  弾性部材、１６００  ダンピング部材
【図１】
2014157352.tif 000003
【図２】
2014157352.tif 000004
【図３】
2014157352.tif 000005
【図４】
2014157352.tif 000006
【図５】
2014157352.tif 000007
【図６】
2014157352.tif 000008
【図７】
2014157352.tif 000009
【図８】
2014157352.tif 000010
【図９】
2014157352.tif 000011
【図１０】
2014157352.tif 000012
【図１１】
2014157352.tif 000013
【図１２】
2014157352.tif 000014
【図１３】
2014157352.tif 000015
【図１４】
2014157352.tif 000016
【図１５】
2014157352.tif 000017
【図１６】
2014157352.tif 000018